(57)【要約】異なる波長の光を放射するＮ個（Ｎは３以上の整数）の発光素子２１と、前記発光素子２１から放射され、生体１０によって反射された異なる波長の光を受光し、受光量に応じた強度の信号を出力するＮ−１個の受光素子２２と、を備えるセンサモジュール２０と、前記受光素子２２からの出力信号の信号処理を実行し、生体情報を生成する信号処理部とを備え、前記信号処理部は、前記受光素子２２からの出力信号の強度に基づいて、前記発光素子２１の発光量をそれぞれ制御するマイクロコントローラを備えることを特徴とする生体情報測定装置。
2019181268.tif 000002
【特許請求の範囲】
【請求項１】
異なる波長の光を放射するＮ個（Ｎは３以上の整数）の発光素子と、前記発光素子から放射され、生体によって反射された前記異なる波長の光を受光し、受光量に応じた強度の信号を出力するＮ−１個の受光素子と、を備えるセンサモジュールと、
前記受光素子からの出力信号の信号処理を実行し、生体情報を生成する信号処理部と、
を備え、
前記信号処理部は、前記受光素子からの出力信号の強度に基づいて、前記発光素子の発光量を制御する、マイクロコントローラを備える、生体情報測定装置。
【請求項２】
前記マイクロコントローラは、前記受光素子からの出力信号の強度に基づいて、前記受光素子からの出力信号の増幅を制御する、請求項１に記載の生体情報測定装置。
【請求項３】
前記Ｎ個の発光素子は、赤色の可視光を放射するＬＥＤ、赤外光を放射するＬＥＤまたは近赤外光を放射するＬＥＤを含む、請求項１または２に記載の生体情報測定装置。
【請求項４】
前記Ｎ−１個の受光素子は、赤色の可視光領域から赤外光領域または赤外光領域から近赤外光領域の波長の光の受光量に応じた信号を生成するフォトダイオードを含む、請求項１〜３のいずれか一項に記載の生体情報測定装置。
【請求項５】
前記センサモジュールは、
第１波長の光を放射する第１発光素子と、
第２波長の光を放射する第２発光素子と、
第３波長の光を放射する第３発光素子と、
前記第１発光素子および前記第２発光素子から放射され、生体によって反射された前記第１波長及び前記第２波長の光を受光し、受光量に応じた強度の信号を出力する第１受光素子と、
前記第２発光素子および前記第３発光素子から放射され、生体によって反射された前記第２波長及び前記第３波長の光を受光し、受光量に応じた強度の信号を出力する第２受光素子と、を備え、
前記マイクロコントローラは、前記第１受光素子及び前記第２受光素子からの出力信号の強度に基づいて、前記第１発光素子、前記第２発光素子及び前記第３発光素子の少なくとも１つの発光量を制御する、請求項１に記載の生体情報測定装置。
【請求項６】
前記マイクロコントローラは、前記第１受光素子及び前記第２受光素子からの出力信号の強度に基づいて、前記第１受光素子及び前記第２受光素子からの出力信号の増幅を制御する、請求項５に記載の生体情報測定装置。
【請求項７】
前記第１波長は、赤色の可視光領域の波長であり、前記第２波長は、赤外光領域の波長であり、前記第３波長は、近赤外光領域の波長であり、
前記第１発光素子は赤色ＬＥＤであり、前記第２発光素子は赤外ＬＥＤであり、前記第３発光素子は近赤外ＬＥＤであり、
前記第１受光素子は赤色の可視光領域から赤外光領域の波長の光を受光するフォトダイオードであり、前記第２受光素子は赤外光領域から近赤外光領域の波長の光を受光するフォトダイオードである、請求項５または６に記載の生体情報測定装置。
【請求項８】
前記生体情報が、脈拍、血中酸素濃度及び血中グルコース濃度のうちの１つ以上を含む、請求項１〜７のいずれか一項に記載の生体情報測定装置。
【請求項９】
前記生体または外部の温度を検出する温度センサ、外部の湿度を検出する湿度センサ、外部の圧力を検出する圧力センサ、前記生体にかかる動きを検出する加速度センサ、ジャイロセンサ及び前記生体の電気皮膚反応（ＧＳＲ）を検出するＧＳＲセンサのうちの１つ以上を含むセンサ部と、
外部装置と通信を行う通信部と、
前記通信部により、前記センサ部による検出値を前記生体情報とともに、前記外部装置に送信させる制御部と、
をさらに備える、請求項１〜８のいずれか一項に記載の生体情報測定装置。
【請求項１０】
前記制御部は、前記生体情報を閾値と比較して異常を検出し、
前記制御部により異常が検出されると、光または音を出力するか、前記通信部を介して異常の通知信号を前記外部装置に送信する警告部を備える、請求項９に記載の生体情報測定装置。
【請求項１１】
前記生体の測定部位に、前記センサモジュールを装着するためのバンド部を備え、
前記バンド部は、
前記センサモジュールを保持し、前記センサモジュールが前記生体に接触する開口部が設けられた第１バンド部と、
前記第１バンド部の外周に設けられ、前記生体と前記センサモジュール間へ漏れ込む光を遮蔽する第２バンド部と、を備える、請求項１〜１０のいずれか一項に記載の生体情報測定装置。
【発明の詳細な説明】
【技術分野】
【０００１】
本発明は、生体情報測定装置に関する。特に、複数の生体情報を測定する光学式の生体情報測定装置に関する。
【背景技術】
【０００２】
従来から、光学式の生体情報測定装置として、脈拍計やパルスオキシメータ等が知られている。パルスオキシメータは、生体の血液中酸素飽和度を非観血的に測定するものである。その原理は、所定の波長を有する光の酸化ヘモグロビン及び還元ヘモグロビンに対する吸光度の違いを利用し、発光素子により波長の異なる光を生体に放射して各光の吸光度を検出することにより、生体の血液中酸素飽和度を測定するものである（例えば、特許文献１を参照）。
【先行技術文献】
【特許文献】
【０００３】
【特許文献１】特開平０６−０９８８８１号公報
【発明の概要】
【発明が解決しようとする課題】
【０００４】
ところで、特許文献１に示すようなパルスオキシメータは、２つの発光素子及び１つの受光素子を備えるが、例えば血中酸素飽和度と血中グルコース濃度とを測定するというような、複数の血液成分を含む生体情報を取得することが困難であった。複数の生体情報を取得するためには、それぞれ別個の発光素子と受光素子が必要になる。【０００５】
しかしながら、発光素子と受光素子を単に増やしただけでは、生体情報を生成するために複雑な回路を必要とし、装置の小型化及び省電力化が図れないという問題があった。【０００６】
本発明は、簡易な構成により小型化および省電力化を実現した、複数の生体情報を取得可能な生体情報測定装置を提供することを目的とする。
【課題を解決するための手段】
【０００７】
上記目的を達成するため、本発明の１態様の生体情報測定装置は、
異なる波長の光を放射するＮ個（Ｎは３以上の整数）の発光素子と、上記発光素子から放射され、生体によって反射された上記異なる波長の光を受光し、受光量に応じた強度の信号を出力するＮ−１個の受光素子と、を備えるセンサモジュールと、
上記受光素子からの出力信号の信号処理を実行し、生体情報を生成する信号処理部と、
を備え、
上記信号処理部は、上記受光素子からの出力信号の強度に基づいて、上記発光素子の発光量を制御する、マイクロコントローラを備えることを特徴とする。
【発明の効果】
【０００８】
本発明によれば、簡易な構成により小型化および省電力化を実現した、複数の生体情報を取得可能な生体情報測定装置を提供することができる。
【図面の簡単な説明】
【０００９】
【図１】本発明の第１実施形態に係る生体情報測定装置におけるセンサモジュールの構成例を示す図である。
【図２】本発明の第１実施形態に係る生体情報測定装置におけるセンサモジュールの発光素子と受光素子の配置の１例を示す概略平面図である。
【図３】本発明の第１実施形態に係る生体情報測定装置におけるセンサモジュールの発光素子と受光素子の配置の１例を示す概略平面図である。
【図４】本発明の第１実施形態に係る生体情報測定装置の機能的構成を示すブロック図である。
【図５】本発明の第２実施形態に係る生体情報測定装置の機能的構成を示すブロック図である。
【図６】本発明の第２実施形態に係る生体情報測定装置の１例としての外観構成を示す図である。
【図７】本発明の第３実施形態に係る生体情報測定装置の１例としての外観構成を示す図である。
【図８】本発明の第４実施形態に係る生体情報測定装置の１例としての外観構成を示す図である。
【図９】本発明の第３実施形態に係る生体情報検出装置を、外部装置に取り付けた模式図である。
【図１０】本発明の生体情報測定装置を生体組織に装着固定するための第１バンド部を示す模式図である。
【図１１】本発明の生体情報測定装置を生体組織に装着固定するための第２バンド部を示す模式図である。
【発明を実施するための形態】
【００１０】
以下に、本発明に係る生体情報測定装置の各種の実施形態を、図面を参照しながら詳細に説明する。
【００１１】
図１は、本発明の第１実施形態に係る生体情報測定装置におけるセンサモジュールの構成例を示す図である。本発明のセンサモジュール２０は、３つの発光素子２１及び２つの受光素子２２を備える。本発明のセンサモジュール２０は、特許文献１に開示されているような従来のセンサモジュールと比較し、１つ発光素子２１が少ないことを特徴としている。
【００１２】
図１に示すセンサモジュール２０を備える生体情報測定装置１００は、３つの発光素子２１からそれぞれ異なる波長の光を生体１０に放射し、その反射光を共通の２つの受光素子２２により受光し、受光量に応じた強度の信号を出力する。これにより、パルスオキシメータの特徴である被測定者の体動に伴う信号の変動の吸収及び血中酸素飽和度の取得を実現しつつ、血中グルコース濃度も測定するように、複数の血液成分を含む生体情報を取得することができる。また、生体の同一成分を測定しその平均値を算出することが可能であり、さらに、一方の受光素子に異常が生じても他方の受光素子が正常であれば、求める生体情報を取得することも可能であるため、測定値の信頼性向上が実現される。さらに、従来の装置と比較し１つ発光素子２１が少ない簡易な構成により、従来の発光素子２１に必要な実装スペースや、駆動回路による電圧ロス等が解消され、装置の小型化および省電力化が実現される。
【００１３】
図２及び図３は、本発明の生体情報測定装置におけるセンサモジュールの発光素子と受光素子の配置例を示す概略平面図である。センサモジュール２０は、Ｎ個の発光素子２１とＮ−１個の受光素子２２を備える。図２は、Ｎが３の場合の配置の１例、図３は、Ｎが５の場合の配置の１例を示す。
【００１４】
第１発光素子２１と第２発光素子２１が、第１受光素子２２を中心とした１点鎖線に示す半径ｒの円周上に配設され、第２発光素子２１と第３発光素子２１が、第２受光素子２２を中心とした１点鎖線に示す半径ｒの円周上に配設されている。上記半径ｒは、２つの発光素子２１と共通の受光素子２２との中心間隔を示すものである。センサモジュール２０の小型化を実現するため、半径ｒは１ｍｍ以内が好ましい。なお、図２のように、第１発光素子、第２発光素子、第３発光素子、第１受光素子及び第２受光素子は、同一直線上に配設されてもよい。
【００１５】
また、図３に示す例では、発光素子２１と受光素子２２の配設形状が２列となるように配設されているが、必ずしもその必要はなく、例えば１列や３列に配設形状されていてもよい。要するに、発光素子２１は共通の受光素子２２との間の距離が同一となるようにその受光素子の周りに設けられていれば小型化の観点から好ましい。
【００１６】
図４は、本発明の第１実施形態に係る生体情報測定装置の機能的構成を示すブロック図である。本実施形態に係る生体情報測定装置１００は、センサモジュール２０と、センサモジュールに接続されたＬＥＤドライバ５０と、信号処理部６０とを備える。
【００１７】
センサモジュールについて具体的に説明する。センサモジュール２０を構成する発光素子２１は、赤色の可視光を放射する赤色ＬＥＤ（Ｌｉｇｈｔ  Ｅｍｉｔｔｉｎｇ  Ｄｉｏｄｅ：発光ダイオード）３０、赤外光を放射する赤外ＬＥＤ３１及び近赤外光を放射する近赤外ＬＥＤ３２を備える。例えば、赤色ＬＥＤ３０は６６０ｎｍ近傍にピーク波長または中心波長を有し、赤外ＬＥＤ３１は９４０ｎｍ近傍にピーク波長または中心波長を有し、近赤外ＬＥＤは１５５０ｎｍ近傍にピーク波長または中心波長を有する。
【００１８】
センサモジュール２０を構成する受光素子２２は、赤色の可視光領域から赤外光領域の波長の光を受光するフォトダイオード４０及び赤外光領域から近赤外光領域の波長の光を受光するフォトダイオード４１を備える。好ましくは、フォトダイオード４０の受光する波長の領域は、６００〜１０００ｎｍであり、フォトダイオード４１の受光する波長の領域は、９００〜１６００ｎｍである。
【００１９】
ＬＥＤドライバ５０は、センサモジュール２０のＬＥＤ３０、３１、３２を駆動させるための駆動回路である。ＬＥＤドライバ５０は、信号処理部６０のマイクロコントローラ６９による制御の下、ＬＥＤ３０、３１、３２の発光量を制御する。また、ＬＥＤドライバ５０は、マイクロコントローラ６９による制御の下、各ＬＥＤ３０、３１、３２の発光周期を制御し、各ＬＥＤを点灯又は消灯させる。
【００２０】
信号処理部６０は、信号取得部６２、信号調整部６４及び信号制御部６６を備える。信号取得部６２は、増幅回路及びサンプルホールド回路を備える。信号調整部６４は、ノイズ成分を除去するためのローパスフィルタ及びハイパスフィルタを備える。信号制御部６６は、Ａ／Ｄ変換回路６８およびマイクロコントローラ６９を備える。マイクロコントローラ６９は、生体情報を演算して算出する他、生体情報測定装置１００を構成する各部の動作を制御する。
【００２１】
センサモジュール２０の赤色ＬＥＤ３０、赤外ＬＥＤ３１及び近赤外ＬＥＤ３２は、マイクロコントローラ６９による制御の下、ＬＥＤドライバ５０により選択的に発光され、生体１０に異なる波長の光を放射する。生体１０によって反射された光は、フォトダイオード４０、４１により受光され、受光量に応じた信号を信号取得部６２に出力する。信号取得部６２は、マイクロコントローラ６９による制御の下、フォトダイオード４０及びフォトダイオード４１から出力された信号を増幅回路にそれぞれ振り分けて、信号調整部６４に出力する。この際、信号取得部６２のサンプルホールド回路は、マイクロコントローラ６９による制御の下、フォトダイオード４０及び４１から出力された信号を一定期間保持する。信号調整部６４のローパスフィルタは、信号取得部６２から出力された信号を、所定のカットオフ周波数で低域濾過し、ハイパスフィルタに出力する。ハイパスフィルタは、ローパスフィルタから出力された信号を、所定のカットオフ周波数で高域濾過し、信号制御部６６に出力する。なお、ハイパスフィルタから出力された信号は伝送またはデジタル化されるには微弱な信号である場合があるため、信号調整部６４は信号を増幅するための増幅回路をさらに備えていていもよい。信号制御部６６のＡ／Ｄ変換回路６８は、信号調整部６４から出力された信号をアナログ信号からデジタル信号に変換して出力する。マイクロコントローラ６９は、Ａ／Ｄ変換回路６８から出力されたデジタル信号に基づいて、波形整形などの信号処理を実行し、測定結果としての生体情報を生成する。生成する生体情報は、脈拍、血中酸素濃度または血中グルコース濃度のうちの１つ以上を含む。生成された生体情報や信号は、マイクロコントローラ６９のメモリに保存することができる。
【００２２】
本発明の生体情報測定装置１００は種々の生体１０の測定に対応するため、マイクロコントローラ６９は、フォトダイオード４０、４１から出力される信号に基づいて、並行してＬＥＤドライバ５０におけるＬＥＤ３０、３１、３２の発光量や信号取得部６２における信号の増幅などを制御することができる。例えば、皮膚の厚みが大きい生体組織を測定する場合には、フォトダイオード４０、４１に入射される光が相対的に小さくなるため、光の検出のためにより高い光量を必要とする。この場合、マイクロコントローラ６９は、例えば、ＬＥＤドライバ５０を介してまたは直接、ＬＥＤ３０、３１、３２の発光量を増大させたり、信号取得部６２における信号の増幅を増大させたりする等の制御を行うことができる。この構成により、簡易な構成により小型化および省電力化を実現した、複数の生体情報を取得可能な生体情報測定装置を提供することができる。
【００２３】
なお、上記に記載した各種の処理は、記載に従って時系列に実行されるのみならず、処理を実行する装置の処理能力あるいは必要に応じて並列的にあるいは個別に実行されてもよい。さらに、マイクロコントローラ６９により生体１０の情報を算出した実施形態を説明したが、外部装置のマイクロコントローラ等の処理により生体の情報を算出してもよい。この場合、生体情報測定装置１００は、外部装置と通信可能な通信部を備えることとなる。
【００２４】
図５は、本発明の第２実施形態に係る生体情報測定装置の機能的構成を示すブロック図である。第２実施形態に係る生体情報測定装置１００は、上述した第１実施形態に係る生体情報測定装置１００に加えて、センサ部９０、制御部９１、警告部９２、通信部９３及び電源部９４をさらに備える。
【００２５】
センサ部９０は、温度センサ、湿度センサ、加速度センサ、圧力センサ、ジャイロセンサ及びＧＳＲセンサ等から構成される。センサ部を構成する各種センサは、制御部９１に接続され、検出した信号を制御部９１に出力する。
【００２６】
温度センサは、被験者の生体温度や外部温度などを検出する機能を備える。湿度センサは、外部湿度などを検出する機能を備える。加速度センサ及びジャイロセンサは、被験者の生体にかかる体動などを検出する機能を備える。なお、本実施形態の生体情報測定装置１００は、加速度センサ及びジャイロセンサの両方を有して構成し両方のセンサの検出結果を併用してもよいし、いずれか単独のみを有してもよい。圧力センサは、大気圧等の外部の圧力を検出する機能を備える。また、生体１０や生体情報測定装置１００にかかる圧力を検出する機能を備える。ＧＳＲセンサ８６は、被験者のＧＳＲ（ｇａｌｖａｎｉｃ  ｓｋｉｎ  ｒｅｓｐｏｎｓｅ：皮膚電気反射）値などを検出する機能を備える。
【００２７】
制御部９１は、第１実施形態における生体情報測定装置の信号処理部６０としての機能を兼ねており、センサモジュール２０及び上述したセンサ部９０の各種センサに接続されている。制御部９１は、マイクロコントローラ６９を含み、生体情報測定装置１００の動作全般を制御する。制御部９１は、実行される制御プログラム、処理結果及び各種データなどを記憶する機能も備える。制御部９１は、センサモジュール２０及びセンサ部９０の各種センサを制御し、生体情報の測定データの取得、解析及び出力動作を行う。これらの測定データは、各種センサで検出する信号を取得する度に通信部９３を介して外部装置４００に送信するようにしてもよいし、制御部９１に一旦格納しておいて定期的に送信するようにしてもよい。また、取得した測定データを外部装置４００に送信する場合、上述した測定データのデータ解析は、外部装置４００で行ってもよい。
【００２８】
なお、上記各種センサから制御部９１に出力される信号は、アナログ信号であるので、制御部９１は、入力されるアナログ信号をデジタル信号に変換するＡＤ変換機能を備える。ただし、入力されるアナログ信号を直接、外部装置４００に送信する場合には、ＡＤ変換機能を備えなくてよい。
【００２９】
得られる生体情報としては、例えば、発汗、心拍、脈波、皮膚温度、皮膚電気反射、皮膚抵抗値、血中酸素飽和度、血中グルコース濃度等があり、生体情報測定装置１００の利用目的に応じて適宜採択すればよい。
【００３０】
警告部９２は、所定の光を出力する光出力部または所定の音声を出力する音声出力部を備える。取得した生体情報が、所定の閾値以下であることの検出に基づいて、被測定者などに所定の光または音声を発する機能を備える。また、被測定者によって、生体情報の測定が停止された後に、一定時間測定が開始されない場合に、警告部９２が測定の再開を促すよう、光や音声を発してもよい。
【００３１】
通信部９３は、制御部９１により信号処理された測定データを、外部装置４００へ無線または有線で送信する機能を備える。また、取得した生体情報が所定の閾値以下であることの検出に基づいて、異常を知らせる信号を外部装置４００に送信する機能を備える。本実施形態では、例えば赤外線通信やＢｌｕｅｔｏｏｔｈ（登録商標）等の方式で、無線送受信機４０２を備える外部装置４００へ送信する。
【００３２】
また、通信部９３は、ケーブルにより外部の情報装置に送信してもよい。この場合、給電はこのケーブルの電源ラインを利用して行うので、ケーブルを介した外部装置４００との接続時には同時に給電することになる。ケーブルは、ＵＳＢケーブルでもよい。
【００３３】
電源部９４は、着脱可能な外付けのバッテリー９５または電源供給可能な外部装置４００と接続するための接続端子、電源回路及び充電回路を備える。この接続端子は、ＵＳＢ端子でもよい。
【００３４】
外部装置４００は、無線送受信機４０２を備える。例えば携帯端末やタブレット端末などが挙げられる。外部装置４００は、通信部９３から受信した測定データなどを表示できる、表示部を備えるものがよい。これにより、生体情報測定装置１００の被測定者は、自身の現在または過去の生体情報を数値で確認することができる。
【００３５】
なお、生体情報測定装置１００および外部装置４００は、本実施形態の構成に限定されず、これらの一部の構成要素を省略したり、他の構成要素を追加したりするなどの種々の変形実施が可能である。
【００３６】
図６は、本発明の第２実施形態に係る生体情報測定装置の１例としての外観構成を示す図である。本実施形態に係る生体情報測定装置１００の外観には、筐体９７、２つのフォトダイオード４０及び４１、センサ部９０、所定の光や音を出力する警告部９２及び着脱可能な外付けのバッテリー９５を示している。本実施形態では、筐体９７は、略直方体の箱状の部材であり、光透過窓を備える。光透過窓は、光を透過する部材で形成され、光透過窓を透過した光は、センサモジュールの受光素子により受光される。筐体９７の内部は各種センサなどの配置空間となる。本実施形態では、有線のケーブルを有さず、ウェアラブル型の装置となる。なお、筐体９７の厚みは薄いほうが適しており、３ｍｍ以下であるとよい。
【００３７】
図７は、本発明の第３実施形態に係る生体情報測定装置の１例としての外観構成を示す図である。本実施形態に係る生体情報測定装置１００の外観には、筐体９７、２つのフォトダイオード４０及び４１、センサ部９０、所定の光や音を出力する警告部９２、ケーブル９６を示している。本実施形態に係る生体情報測定装置１００は、ケーブル９６を介して、外部装置４００から給電する。また、ケーブル９６を介して外部装置４００にデータを送信することができる。ケーブル９６はＵＳＢケーブルでもよい。本実施形態では、ポータブル型の装置となる。
【００３８】
図８は、本発明の第４実施形態に係る生体情報測定装置の１例としての外観構成を示す図である。本実施形態に係る生体情報測定装置１００の外観には、筐体９７、２つのフォトダイオード４０及び４１、センサ部９０、所定の光や音を出力する警告部９２、接続端子９９を示している。接続端子９９は、バッテリー９５およびケーブル９６を介した外部装置４００いずれにも接続可能である。接続端子９９はＵＳＢ接続端子でもよい。
【００３９】
第４実施形態では、第２実施形態に示したウェアラブル型、第３実施形態に示したポータブル型、いずれの装置にもなる。第４実施形態によれば、ウェアラブル型、ポータブル型の装置をそれぞれ別個に製造する必要がなく、工数と製造コストを削減することができる。
【００４０】
図９は、本発明の第３実施形態に係る生体情報検出装置を、外部装置に取り付けた模式図である。生体情報測定装置１００は、ケーブル９６を介して、外部装置４００と接続され、外部装置４００から電力が供給されたり、外部装置４００との間でデータ通信が実行されたりする。表示部を備える外部装置４００であれば、生体情報測定装置１００により得られた測定データが外部装置４００に表示される構成をとる。本発明のセンサモジュール２０は、小型化が実現されているため、厚みが薄く、相対的に本実施形態に係る生体情報測定装置１００の筐体９７も小型で薄くなる。このため、図８に示すように、本実施形態に係る生体情報測定装置１００は、外部装置４００の上面に備えることができ、被測定者の行動を制限せず、携帯性に優れる。
【００４１】
図１０及び図１１は、本発明の生体情報測定装置を生体組織に装着固定するためのバンド部を示す模式図である。バンド部は、第１バンド部５０１及び第２バンド部５０２を備える。図１０に示す第１バンド部５０１は、生体情報測定装置１００を着脱自在に保持するとともに、生体組織に接触するように内部表面を備える。図１０では、例えば、第１バンド部５０１の図に示す点線部分に生体情報測定装置１００を格納できる穴部を備える。図１１に示す第２バンド部５０２は、第１バンド部５０１の上に装着され、生体組織に接する面または直接漏れ込む光を遮蔽する伸縮性の遮光部材を備える。
【００４２】
なお、図１０及び図１１では、生体の手首に巻いて装着するバンド型の生体情報測定装置１００を例に挙げて説明したが、本発明を適用可能な生体情報測定装置１００はこれに限られない。例えば、眼鏡のフレームに測定装置を格納した眼鏡型等の生体情報測定装置１００に適用することも可能である。
【００４３】
上記の実施の形態は、本発明を実施するにあたっての具体化の一例を示したものに過ぎず、これらによって本発明の技術的範囲が限定的に解釈されてはならないものである。すなわち、本発明はその要旨またはその主要な特徴から逸脱することなく、様々な形で実施することができる。
さらに、上記に記載した各実施形態、動作の構成は、相互に矛盾しない限り任意に組み合わせて実施可能であることはもちろんである。
【００４４】
本出願は、２０１８年３月２０日に出願された日本出願特願２０１８−０５２５１６号に基づく優先権を主張し、当該日本特許出願に記載されたすべての記載内容を援用する。
【符号の説明】
【００４５】
１０    生体
１１    血液
２０    センサモジュール
２１    発光素子
２２    受光素子
３０    信号処理部
３０    赤色ＬＥＤ
３１    赤外ＬＥＤ
３２    近赤外ＬＥＤ
４０    フォトダイオード
４１    フォトダイオード
６０    信号処理部
６２    信号取得部
６４    信号調整部
６６    信号制御部
６８    Ａ／Ｄ変換回路
６９    マイクロコントローラ
１００  生体情報測定装置
【図１】
2019181268.tif 000003
【図２】
2019181268.tif 000004
【図３】
2019181268.tif 000005
【図４】
2019181268.tif 000006
【図５】
2019181268.tif 000007
【図６】
2019181268.tif 000008
【図７】
2019181268.tif 000009
【図８】
2019181268.tif 000010
【図９】
2019181268.tif 000011
【図１０】
2019181268.tif 000012
【図１１】
2019181268.tif 000013
【国際調査報告】
2019181268.tif 000014
2019181268.tif 000015
2019181268.tif 000016
2019181268.tif 000017